(57)【要約】【課題】カメラなどの光学素子等の表面に光学薄膜などの膜を形成する蒸着装置において、異物が光学薄膜などの膜に取り込まれる欠陥を抑制して、製品の歩留まりを向上させる技術を提供する。【解決手段】蒸着装置は、被蒸着物５を支持する支持部６を備える容器１内において、電子ビーム源１１と、蒸着材料９を配置して電子ビーム源１１から照射される電子ビームを受ける材料配置部１２と、防着部材３３と、を有する。防着部材３３は、被蒸着物５の方向から外れた方向に蒸発させられる蒸着材料の蒸気を受ける第１の面３５ａと、材料配置部１２への軌道から外れた軌道をとる電子ビーム２７を受ける第２の面３５ｂと、を有する。【選択図】図６
2018135593.tif 000002
【特許請求の範囲】
【請求項１】
被蒸着物を支持する支持部を備える容器内において、電子ビーム源と、蒸着材料を配置して前記電子ビーム源から照射される電子ビームを受ける材料配置部と、防着部材と、を有し、
前記防着部材は、前記被蒸着物の方向から外れた方向に蒸発させられる前記蒸着材料の蒸気を受ける第１の面と、前記材料配置部への軌道から外れた軌道をとる前記電子ビームを受ける第２の面と、を有することを特徴とする蒸着装置。
【請求項２】
前記防着部材は、略水平な平板部分と前記平板部分の上に立てられた１以上の平面板とを含み、前記平面板は、前記材料配置部のある側に面する前記第１の面と、前記第１の面とは反対側の前記第２の面とを有することを特徴とする請求項１に記載の蒸着装置
【請求項３】
複数の前記平面板が設けられ、それぞれ、所定の高さ、間隔、角度で設けられていることを特徴とする請求項２に記載の蒸着装置
【請求項４】
前記高さＨ、前記間隔Ｌ、前記角度θの寸法範囲は、０＜Ｈ≦４０ｍｍ、０＜Ｌ≦３０ｍｍ、１０°＜θ＜１５０°であることを特徴とする請求項３に記載の蒸着装置。
【請求項５】
前記防着部材は、前記材料配置部の周りの何れかの箇所に設けられていることを特徴とする請求項１から４の何れか一項に記載の蒸着装置。
【請求項６】
前記防着部材は、前記材料配置部と前記電子ビーム源との間の空間に配置されていることを特徴とする請求項５に記載の蒸着装置。
【請求項７】
前記防着部材は、前記材料配置部のある空間と前記電子ビーム源のある空間とを仕切るビーム源カバーの上に設けられていることを特徴とする請求項６に記載の蒸着装置。
【請求項８】
前記防着部材は、前記材料配置部を挟んで、前記電子ビーム源のある空間の側とは反対の側の空間に配置されていることを特徴とする請求項５に記載の蒸着装置。
【請求項９】
前記防着部材は、導電性材料で形成され、接地されていることを特徴とする請求項１から８の何れか一項に記載の蒸着装置。
【請求項１０】
前記材料配置部は、前記蒸着材料を収容して前記電子ビーム源から照射される電子ビームを受けるルツボであることを特徴とする蒸着装置。
【発明の詳細な説明】
【技術分野】
【０００１】
本発明は、真空蒸着装置などの蒸着装置に関する。例えば、カメラ、ビデオカメラなどの光学素子の表面に蒸着材料を成膜して光学薄膜などの膜を形成する真空蒸着装置等の蒸着装置に関する。
【背景技術】
【０００２】
従来、カメラ、ビデオカメラのレンズ、フィルターなどの光学素子には、表面での光の反射を抑制したり、特定の波長の光だけを透過あるいは反射させたりするために、その表面に光学薄膜を形成する技術が用いられてきた。このような光学薄膜は、異なる屈折率特性を持った複数の金属化合物の薄膜を多層に積層することで所望の光学特性が得られるように設計される。光学薄膜において、金属化合物の薄膜を形成する手法として、真空蒸着やスパッタリングなどが主に用いられてきた。中でも真空蒸着は一度に大面積への成膜が可能であることから、大量生産の現場では真空蒸着がよく利用されている。
【０００３】
真空蒸着において、基板などの被蒸着物に形成される光学薄膜への異物の混入を極力排除するために、真空に排気された真空容器の中で成膜が行われる。真空容器の内部には、蒸着材料を収容したルツボ、蒸着材料を加熱、蒸発させるための加熱源等を含む蒸着源などが配置され、被蒸着物はルツボと対向する位置に置かれる。蒸着材料を加熱する方法としては、光学薄膜形成の分野では電子ビーム蒸着と抵抗加熱蒸着がよく用いられる。
【０００４】
なかでも、電子を非常に高いエネルギーまで加速して照射できるため高融点の材料でも蒸着できる上、電子ビームを磁場によってスキャンすることで蒸着材料の溶融状態を制御しやすいことから、電子ビーム蒸着が特によく用いられている。電子ビーム源では、らせん状の金属製フィラメントに電圧を掛けることによりフィラメント表面から熱電子を放出させる。こうして発生された熱電子に数kV以上の電界を掛けることで電子を加速して、ルツボに入れられた蒸着材料に衝突させる。加速された電子ビームの持っている運動エネルギーが蒸着材料に衝突する際に熱エネルギーヘと変換され、蒸発材料が加熱されることで蒸着材料の蒸発が起こる。
【０００５】
光学薄膜では金属酸化膜がよく用いられているが、金属酸化物による光学薄膜の屈折率は薄膜の酸化の度合いにより大きく影響される。そのため、通常はプロセスガスとして微量の酸素ガスを真空容器内に導入しながら蒸着を行うことで、安定した酸化膜を形成するようにしている。電子ビームを加速するために数kV以上の高電圧を印加している高電圧配線の近傍に、こうしたプロセスガスや真空容器内部の部材からの放出ガスなどが多量に存在すると、高電圧配線と、接地されている真空容器と、の間で放電が発生することがある。通常、こうした放電が発生すると、加速のための高電圧が瞬間的に低下するため、それによって電子ビームの軌道が変化して、ルツボの外側に電子ビームが照射されてしまうことがある。
【０００６】
他方、ルツボから蒸発した蒸着材料には、蒸発粒子同士あるいは真空容器内に存在するプロセスガス分子との衝突、散乱がある。そのため、全ての蒸着粒子が被蒸着物の方向に飛来する訳ではなく、その多くは、真空容器の側壁やルツボの周辺にも付着して薄膜を形成する。金属酸化膜を蒸着する場合には、このようにして被蒸着物以外の部位にも絶縁性薄膜が表面に形成されることになる。電子ビーム源の高電圧配線での放電が発生すると、電子ビームの軌道が変化して、ルツボ外の絶縁性薄膜が形成された箇所にも電子ビームが照射されることがある。絶縁性薄膜に電子ビームが照射されると、供給された電子によって薄膜が負に帯電するため、絶縁性薄膜の表面に例えば蒸着材料の微粒子などの異物が存在した場合には、その異物も負に帯電する。同極性に帯電した絶縁性薄膜と異物との間に働くクーロン反発力によって、こうした異物は上方に飛散することにもなる。もし、この飛散した異物が蒸着中の被蒸着物表面に付着して、落下することなくそのまま異物の上を覆うように成膜が進むと、異物が薄膜に取り込まれた箇所は所望の光学特性を発揮することができず、欠陥となってしまうことがある。
【０００７】
近年ではカメラにおいては益々撮影画像の高精細化が求められるようになり、それらの受光素子の画素数は増大する一方である。こうした高画素化の要求によって、カメラに使用されている一部の光学素子では、その表面に形成されている光学薄膜にも高い品質が要求されるようになってきている。光学薄膜中の欠陥についても、従来より小さなサイズの欠陥であっても不良と見なされるようになってきており、製品の歩留まりを低下させる一因になっている。
【０００８】
上記のような技術状況において、電子ビーム源において、高電圧配線の放電が検出された場合には、例えば電力を一時的に遮断するようになっている。こうした場合、電力を遮断している時間は蒸着されず成膜結果に悪影響を及ぼすため、放電検出時の電力遮断時間は出来るだけ短い時間に設定されていることが多い。しかし圧力が充分に低下していない状態で、電力を遮断している状態から非遮断状態に戻してしまうと、再び放電が発生してしまい、それを何度も繰り返してしまうこともある。特許文献１には、電力の遮断状態から非遮断状態に戻すまでの遅延時間を適切に設定することで、電力遮断の回数を最少にすることができる電子ビーム装置が開示されている。
【先行技術文献】
【特許文献】
【０００９】
【特許文献１】特開2011-76733号公報
【発明の概要】
【発明が解決しようとする課題】
【００１０】
特許文献１に記載された電子ビーム装置では、放電時の電力遮断の回数を最少にすることで、繰り返し放電を減らして放電回数を減少することはできる。しかし、回数を減らすことはできても、放電の発生そのものを無くすものではないため、頻繁に発生する放電によって異物が飛散して膜に取り込まれ欠陥となる可能性を大幅に低減することは容易ではない。
【課題を解決するための手段】
【００１１】
上記課題に鑑み、本発明の一側面による蒸着装置は、被蒸着物を支持する支持部を備える容器内において、電子ビーム源と、蒸着材料を配置して前記電子ビーム源から照射される電子ビームを受ける材料配置部と、防着部材と、を有し、前記防着部材は、前記被蒸着物の方向から外れた方向に蒸発させられる前記蒸着材料の蒸気を受ける第１の面と、前記材料配置部への軌道から外れた軌道をとる前記電子ビームを受ける第２の面と、を有する。
【発明の効果】
【００１２】
本発明の一側面によれば、放電などが発生した際に電子ビームの軌道が変化して電子ビームが蒸着材料外の領域に照射されても、異物の飛散を抑制することができる。
【図面の簡単な説明】
【００１３】
【図１】真空蒸着装置の一例の概略図。
【図２】電子ビーム源の一実施例の概略図。
【図３】放電が発生した場合の電子ビームの挙動を説明する図。
【図４】異物が被蒸着物上の薄膜に取り込まれて出来る欠陥を説明する図。
【図５】本発明による一実施例における防着板の一例を説明する図。
【図６】図５の防着板の構造と電子ビームが照射された場合の挙動を説明する図。
【図７】防着部材である防着板の一設計例を説明する図。
【図８】防着部材である防着板の他の設計例を説明する図。
【図９】防着部材である防着板の他の実施例を説明する図。
【発明を実施するための形態】
【００１４】
本発明の一側面は、カメラなどの光学素子等の表面に光学薄膜などの膜を形成する蒸着装置において、異物が光学薄膜などの膜に取り込まれる欠陥を抑制して、製品の歩留まりを向上させる技術を提供することである。上述の異物の飛散を抑制するために、前記防着部材は、被蒸着物の方向から外れた方向に蒸発させられる蒸着材料の蒸気を主に受ける第１の面と、材料配置部への軌道から外れた軌道をとる前記電子ビームを主に受ける第２の面と、を有する。前記防着部材は、材料配置部への軌道をとる電子ビームは通すようになっている。
【００１５】
以下、本発明を実施するための形態を図を用いて説明する。まず真空蒸着装置の一実施形態の概略を図１を用いて説明する。図１の真空蒸着装置において、真空排気可能な真空容器１が設けられている。真空容器１は、大気圧から、まず補助排気系２により粗引き排気が行われる。粗引き排気後、主排気系３により成膜可能な圧力まで本排気が行われる。
【００１６】
所望の圧力まで本排気が完了したところで、ヒーター４を用いて、基板などの被蒸着物５を配置ないし支持した支持部であるホルダ６の加熱を行う。または、別の真空容器にて、被蒸着物５を配置したホルダ６を加熱したのちに、成膜用の真空容器１に搬送し、その後、ヒーター４により被蒸着物５を所望の温度に維持する装置構成でもよい。ここでは、被蒸着物５はホルダ６に複数枚搭載されている。またホルダ６には、光学式膜厚計７用のモニター基板８が搭載されている。モニター基板８にも被蒸着物５と同様に成膜がなされ、光学式膜厚計７からモニター基板８に照射した光の反射光の強度から、モニター基板８に成膜された光学膜厚を知ることができる。これにより、その情報によって、成膜終了のタイミングを判断することができる。さらにホルダ６の周辺であって蒸着材料９の蒸気が飛来する領域に、水晶式膜厚計１０が配置されており、内蔵された水晶振動子の振動数の変化から、蒸着時の単位時間あたりの成膜の膜厚である成膜レートを知ることができる。成膜レートが大きく変わると薄膜の光学特性に影響が出るため、水晶式膜厚計１０で計測される成膜レートが予め設定された一定値を保つように、電子ビーム源１１から蒸着材料９に照射される電子ビーム電流が制御される。
【００１７】
被蒸着物５が所望の温度に到達したら、電子ビーム源１１により蒸着材料９の加熱を行う。本実施形態では、蒸着材料９は、金属製のルツボ１２に入れられている。蒸着材料９の材料配置部は、ルツボなどに限られず、平面部に蒸着材料が置かれるようなものであってもよい。まず電子ビーム源１１から蒸着材料９に照射する電子ビームの量を段階的に増加させて、蒸着材料９の突沸が起きないように蒸着材料９を除々に加熱していく。蒸着材料９が蒸着可能な状態に溶融したら、ルツボ１２の上方でルツボ１２と被蒸着物５の間を遮っている蒸着源シャッター１３を開いて蒸着を開始する。蒸気となった蒸着材料９は、真空容器１内を飛来して、被蒸着物５の表面に堆積する。本実施形態では、ホルダ６は、真空容器１の外部に配置されたモーターにより垂直方向の軸回りに回転可能となっている。ホルダ６を回転させながら蒸着を行うことによって、ホルダ６上に搭載された複数の被蒸着物５の膜厚分布を小さくできるようになっている。光学式膜厚計７によって成膜終了のタイミングになったことが検出されたら、蒸着源シャッター１３を閉じるとともに、電子ビーム源１１からの電子ビーム照射を停止させる。こうして、蒸着を終了する。
【００１８】
また、電子ビーム源１１による蒸着材料の蒸着時に、被蒸着物５に堆積した薄膜を緻密で密着性の高い膜にすることを目的として、アシストイオン源１４よりイオンを被蒸着物５に対して照射する場合もある。アシストイオン源１４を使用して蒸着を行う場合には、被蒸着物５が、照射されたイオンにより帯電することを防ぐ目的で、中和器１５が併せて用いられる。中和器１５は、照射するイオン量と同等程度の電荷量の電子を被蒸着物５に対して照射して被蒸着物５を電気的に中和するためのものである。
【００１９】
次に電子ビーム源１１について図２を用いて説明する。電子ビーム源は、電子ビーム１６を発生させるフィラメント１７、フィラメント１７との電位差によって電子ビーム１６を加速するアノード１８、ポールピース１９ａ、１９ｂ、スキャンコイル２０を含む。ポールピース１９ａ、１９ｂは、加速した電子ビーム１６をルツボ１２まで偏向させ、スキャンコイル２０は、ルツボ１２に照射する電子ビーム位置をルツボ１２内でスキャンさせる。フィラメント１７は、フィラメント加熱用電源２１に接続されている。フィラメント加熱用電源２１によってフィラメント１７に電流が流されることで加熱されたフィラメント１７から熱電子が放出される。放出された熱電子は、加速用高電圧電源２２に接続されてマイナス数kVの電圧が印加されているフィラメント１７とアノード１８との間の電位差によって加速されて電子ビームとなる。
【００２０】
ポールピース１９ａ、１９ｂは強磁性材料で作られており、同じく強磁性体材料で作られている接続部材２３によって永久磁石２４と接続されている。そのため、ポールピース１９ａ、１９ｂは永久磁石２４によって磁化され、磁界を形成している。アノード１８で加速された電子ビーム１６が、ポールピース１９ａ、１９ｂの形成する磁界によって向きを約２７０度変えられ、ルツボ１２のほぼ中央に照射するように設計されている。またルツボ１２内の蒸着材料９全面に電子ビーム１６を照射して、蒸着材料９を加熱溶融する必要がある。そのため、電磁石で構成されるスキャンコイル２０が形成する磁界によって、電子ビーム１６をルツボ１２内においてX、Y方向にスキャンできるようになっている。こうしてルツボ１２内で溶融された蒸着材料９が蒸発して、その蒸発粒子は、電子ビーム源１１の上方に設置された図１に図示の被蒸着物５へと到達して光学薄膜を形成する。
【００２１】
次に、電子ビームを加速するための高電圧配線近傍で放電が発生した場合の電子ビームの挙動について、図３を用いて説明する。フィラメント１７には、高電圧配線２５を介して加速用高電圧電源２２から高電圧が印加されている。真空容器内の高電圧配線２５近傍の圧力が、ガス２６などの存在によって上昇すると、その圧力値によっては、マイナス数kVが印加されている高電圧配線２５と、接地されている真空容器１や真空容器内構成物と、の間で放電が発生することがある。
【００２２】
圧力上昇が発生する要因としては以下のようなものがある。通常、光学薄膜として金属酸化物を形成する場合には、真空容器内にガス供給口（不図示）から酸素ガスを供給するので、そのガスが高電圧配線２５近傍に滞留する可能性がある。また、真空容器内壁や真空容器内の構成物が図１のヒーター４、電子ビーム源１１、ルツボ１２などからの輻射熱によって暖められて、表面に吸着されていたガスが放出される可能性もある。あるいは、ガスを吸着していた蒸着材料９が、電子ビーム１６で加熱されて、多量のガスを放出することもある。このように高電圧配線２５の近傍の圧力が上昇する要因は数多く存在し、圧力上昇によって電子ビーム源の放電は頻繁に発生している。
【００２３】
放電が発生すると電子ビームを加速する加速電圧が低下するため、正常時には電子ビーム１６のようにルツボ１２内に向かっていた電子ビーム軌道が、電子ビーム２７のようにルツボ１２の手前側などに照射される電子ビーム軌道に変化する。ルツボ１２手前にあるビーム源カバー２８に電子ビーム２７が照射されると、ビーム源カバー２８の表面に付着している絶縁性薄膜２９に多量の電子が供給されて、絶縁性薄膜２９が負に帯電する。絶縁性薄膜２９の上には、周辺の構造物（不図示）の表面についた薄膜が剥離して飛び散った破片やルツボ内の突沸により飛散した蒸着材料の粒子などを含む異物３０が存在している。こうした異物３０も絶縁性薄膜２９と同様に負に帯電するため、絶縁性薄膜２９と異物３０との間にはクーロン反発力が働き、異物３０は上方に飛散することがある。飛散した異物が被蒸着物５の表面に到達、付着して、落下することなく、そのままその異物の上を覆うように成膜が進むと、図４に示すように異物３１が薄膜３２に取り込まれて、その箇所は所望の光学特性を果たすことができずに欠陥となることがある。
【００２４】
次に、本実施形態において、異物防着部材である防着板を取り付けた電子ビーム源について図５を用いて説明する。ここでは、防着板３３は、材料配置部であるルツボ１２のある空間と電子ビーム源１１のある空間とを仕切るビーム源カバー２８の上に取り付けられている。防着板３３は導電性の高い導電性材料である金属材料で作られており、接地されているビーム源カバー２８を介して接地されている。ビーム源カバー２８の如きものは、通常の蒸着装置で既に設けられていることが多いので、それを利用して防着板３３を設ければ、コストを削減することができる。防着板３３を取り付けた電子ビーム源において、放電が発生した場合には、電子ビーム軌道は電子ビーム２７で示される軌道に変化して、電子ビーム２７は防着板３３に照射される。
【００２５】
防着板の構造と防着板に電子ビームが照射された場合の挙動について図６を用いて説明する。防着板３３は、略水平に配置された平板部分３４とその上に立てられた１以上（図示例では複数枚）の平面板３５を含む。複数枚の平面板３５は、第１の面３５ａがルツボ１２に正対して（ルツボがある側に向いて）設置されている。ルツボ１２から発生した蒸着材料からなる蒸着粒子３６の蒸気は、主に、複数枚の平面板３５のうちで最もルツボ１２に近い平面板のルツボに対する第１の面３５ａに付着して薄膜３７を形成している。また、複数枚の平面板３５のうちでルツボ１２から離れた平面板３５の第１の面３５ａにも、蒸着粒子３６は付着して薄膜３８を形成している。この平面板はルツボ１２からは手前の平面板によって陰になっているが、蒸着粒子同士の散乱などによる廻り込みによって、この平面板にも蒸着粒子３６が付着するために、薄膜３８が形成される。このように蒸着粒子による薄膜は、複数枚の平面板３５の全てにおいて、平面板３５のルツボ１２に対する側の第１の面３５ａに形成され得る。
【００２６】
放電が発生した場合には、電子ビーム軌道は図６に示される電子ビーム２７のような軌道となり、電子ビームは複数枚の平面板３５に対して、ルツボ１２に対する第１の面３５ａとは反対側の第２の面３５ｂに必ず照射されるようになっている。つまり、その様になるように平面板３５の形状、配置、姿勢などが設計されている。こうして、ルツボ１２からの蒸着粒子３６は複数枚の平面板３５のルツボ１２に対する側の面で受け止める。そして、放電時の電子ビーム２７の照射は、それとは逆のルツボ１２に対する面とは反対側の面で受け止める。このように、蒸着粒子３６と放電時の電子ビーム２７とを別々の面で受け止める構造になっている。従って、ルツボ１２のある方向への軌道を外れた電子ビーム２７が照射される第２の面３５ｂには、蒸着粒子３６の付着による絶縁性の薄膜はほとんど存在せず、導電性の防着板材料の表面そのままである。そのため、防着板表面の帯電が起こらないので、そこから異物が飛散して被蒸着物の表面に欠陥を生じさせることが抑制ないし防止される。
【００２７】
上記実施形態の防着板の具体的数値例を図７によって説明する。ここでは、複数の防着板の平面板３５がほぼ同間隔で下部の平板部分３４上に設けられている。高さＨ、間隔Ｌ、角度θの好ましい寸法範囲としては、０＜Ｈ≦４０ｍｍ、０＜Ｌ≦３０ｍｍ、１０°＜θ＜１５０°を例示することができる。これは、具体的な真空蒸着装置において、予め正常電圧時と異常電圧時（放電発生時）の電子ビーム１６、２７の軌道、ルツボ１２からの蒸着粒子３６の蒸気の軌道などに基づいて設計すればよい。
【００２８】
図８は防着板の他の形態例と具体的数値例を示す。図８（ａ）では、ルツボ１２や水平配置の平板部分３４に対する図示の配置構造において、正常電圧時（５ｋｅＶ）と異常電圧時（２ｋｅＶ）の電子ビームの軌道や蒸着粒子の蒸気の軌道に基づいて設計された防着板が示されている。その平面板３５の高さＨ、間隔Ｌ、角度θは図示の様になっている。図示例では、防着板の平面板３５の高さＨと角度θは変化しているが、間隔Ｌはほぼ一定の５ｍｍである。間隔Ｌは１５ｍｍ程度まで間引いても効果が認められる。好ましい範囲としては、０＜Ｈ≦２０ｍｍ、０＜Ｌ≦２０ｍｍ、１０°＜θ＜１５０°を例示することができる。破線で示すように１枚の平面板３５’を設けても、異物防着部材として必要な条件を満たすこともあり得る。この平面板３５’は、電子ビーム１６の正常軌道と電子ビーム２７の異常軌道の境辺りまで伸びていて、図８（ａ）の紙面と交差する方向の幅も異物防着機能を果たすように充分にとられている。
【００２９】
図８（ｂ）は、複数の平面板３５の高さＨ、間隔Ｌ、角度θがそれぞれ変化する例を示す。図中の数値の単位はｍｍである。これらの設計も、所与の構成の真空蒸着装置における電子ビーム１６、２７の軌道、蒸着粒子３６の蒸気の軌道などに基づいて行うことができる。
【００３０】
図９は、ルツボ１２を挟んで、電子ビーム源１１の側とは反対の側に、異物の発生を抑制するための異物防着部材である防着板を配した例を示す。ここでは、ルツボに照射された電子のうち、ルツボ内の蒸着材料面で反射される成分（反射電子）の飛来する軌道と、ルツボ１２からの蒸着粒子３６の蒸気の軌道などに基づいて設計すればよい。図９では、複数（１７枚）の平面板３５が平板部分３４にほぼ同高、同間隔（２０ｍｍ）、同角度で設けられている。このように、異物防着部材は、蒸着材料が配置される部分の周りにおいて何れの箇所に設けられてもよい。周りにぐるりと連続的に設けられてもよいし、所々に設けられてもよい。
【００３１】
異物防着部材の紙面と交差する方向（例えば垂直方向）の幅については、蒸着粒子３６の蒸気や電子ビームの廻り込みなどを考慮して適宜に設計すればよい。この方向において、異物防着部材は平面的でもよいし、屈曲ないし湾曲していてもよい。上記実施形態でも、平面板３５は屈曲ないし湾曲していてもよい。
【００３２】
上記実施形態によれば、電子ビーム源の放電やルツボからの反射電子が発生した際に電子ビームの軌道が変化して電子ビームがルツボなどの蒸着材料の配置部外の領域に照射されても、異物の飛散を抑制することができる。例えば、その領域には、絶縁性薄膜があまり形成されていないため負に帯電することが抑制されている上、そこからのクーロン反発力による異物飛散の発生が抑制される。したがって、電子ビーム源の放電やルツボからの反射電子により発生する光学薄膜などの膜の不良発生を大幅に低減することができる。また、従来型の電子ビーム源であっても、電子ビーム源そのものを改造することなく、防着板などの異物防着部材を電子ビーム源のビーム源カバーなどの上に追加するたけで、放電や反射電子による異物の飛散を防止ないし抑制することができる。よって、低コストで光学薄膜などの膜の不良発生を低減することが可能となる。
【符号の説明】
【００３３】
１・・・真空容器（容器）
５・・・レンズ（被蒸着物）
６・・・ホルダ（支持部）
９・・・蒸着材料
１１・・・電子ビーム源
１２・・・ルツボ（材料配置部）
２７・・・外れた軌道をとる電子ビーム
３３・・・防着板（防着部材）
３５ａ・・・第１の面
３５ｂ・・・第２の面
【図１】
2018135593.tif 000003
【図２】
2018135593.tif 000004
【図３】
2018135593.tif 000005
【図４】
2018135593.tif 000006
【図５】
2018135593.tif 000007
【図６】
2018135593.tif 000008
【図７】
2018135593.tif 000009
【図８】
2018135593.tif 000010
【図９】
2018135593.tif 000011